【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
発光に必要な駆動電圧が異なる複数の発光素子が並列に接続され、当該複数の発光素子のうちの一または複数の発光素子を駆動する発光素子駆動装置であって、
上記複数の発光素子の対応する発光素子に接続され、設定値に基づいた輝度をもって対応する発光素子を駆動する複数の駆動回路と、
上記複数の駆動回路の各駆動状態に基づいて、発光駆動されている一または複数の発光素子のうち最も高い発光に必要な駆動電圧値を判別し、少なくとも判別した値の駆動電圧を上記複数の発光素子に供給する電源回路と
を有する発光素子駆動装置。
【請求項２】
上記複数の発光素子が接続可能な複数の端子を有し、上記複数の駆動回路は外部に配置される複数の発光素子と対応する上記端子を通して接続される
請求項１記載の発光素子駆動装置。
【請求項３】
上記電源回路は、所定の点滅動作指示命令を受けると、上記電源回路の出力駆動電圧を、発光素子の駆動状態にかかわらず、所定の設定電圧に固定する
請求項１記載の発光素子駆動装置。
【請求項４】
上記電源回路は、電源電圧が供給され、上記判別した電圧値より上記電源電圧の値が大きいときは、供給された電源電圧を上記駆動電圧として上記複数の発光素子に供給する
請求項１記載の発光素子駆動装置。
【請求項５】
上記電源回路は、電源電圧が供給され、上記判別した電圧値より上記電源電圧の値が大きいときは、供給された電源電圧を当該判別した電圧値までのいずれかの値に降圧し、降圧した電源電圧を上記駆動電圧として上記複数の発光素子に供給する
請求項１記載の発光素子駆動装置。
【請求項６】
上記電源回路は、電源電圧が供給され、上記判別した電圧値より上記電源電圧の値が小さいときは、供給された電源電圧を少なくとも当該判別した電圧値まで昇圧し、昇圧した電源電圧を上記駆動電圧として上記複数の発光素子に供給する
請求項１記載の発光素子駆動装置。
【請求項７】
上記電源回路は、電源電圧が供給され、上記判別した電圧値より上記電源電圧の値が大きいときは、供給された電源電圧を当該判別した電圧値までのいずれかの値に降圧し、降圧した電源電圧を上記駆動電圧として上記複数の発光素子に供給し、
上記判別した電圧値と上記電源電圧の値が略等しいときは、供給された電源電圧を上記駆動電圧として上記複数の発光素子に供給し、
上記判別した電圧値より当該電源電圧の値が小さいときは、供給された電源電圧を少なくとも当該判別した電圧値まで昇圧し、昇圧した電源電圧を上記駆動電圧として上記複数の発光素子に供給する
請求項１記載の発光素子駆動装置。
【請求項８】
上記電源回路は、電源電圧が供給され、発光に必要な駆動電圧の値が上記電源電圧の値より小さい発光素子に、供給された電源電圧を当該発光素子の発光に必要な駆動電圧値までのいずれかの値に降圧し、降圧した電源電圧を上記駆動電圧として対象の発光素子に供給する降圧電源を含む
請求項１記載の発光素子駆動装置。
【請求項９】
上記電源回路は、電源電圧が供給され、発光に必要な駆動電圧の値が上記電源電圧の値より大きい発光素子に、供給された電源電圧を少なくとも当該発光素子の発光に必要な駆動電圧値まで昇圧し、昇圧した電源電圧を上記駆動電圧として対象の発光素子に供給する昇圧電源を含む
請求項１記載の発光素子駆動装置。
【請求項１０】
上記電源回路は、電源電圧が供給され、発光に必要な駆動電圧の値が上記電源電圧の値より小さい発光素子に、供給された電源電圧を当該発光素子の発光に必要な駆動電圧値までのいずれかの値に降圧し、降圧した電源電圧を上記駆動電圧として対象の発光素子に供給する降圧電源と、
発光に必要な駆動電圧の値が上記電源電圧の値より大きい発光素子に、供給された電源電圧を少なくとも当該発光素子の発光に必要な駆動電圧値まで昇圧し、昇圧した電源電圧を上記駆動電圧として対象の発光素子に供給する昇圧電源と、を含む
請求項１記載の発光素子駆動装置。
【請求項１１】
発光に必要な駆動電圧が異なる複数の発光素子が並列に接続され、当該複数の発光素子のうちの一または複数の発光素子を駆動する発光素子駆動装置であって、
上記複数の発光素子の対応する発光素子に接続され、設定値に基づいた輝度をもって対応する発光素子を駆動する複数の駆動回路と、
上記複数の駆動回路の各駆動状態に基づいて、発光駆動されている一または複数の発光素子のうち最も高い発光に必要な駆動電圧値を判別し、少なくとも判別した値の駆動電圧を上記複数の発光素子に供給する電源回路と、を有し、
上記電源回路は、電源電圧が供給され、
上記判別した電圧値より上記電源電圧の値が大きいときは、供給された電源電圧を上記駆動電圧として上記複数の発光素子に供給し、
上記判別した電圧値より上記電源電圧の値が小さいときは、供給された電源電圧を少なくとも当該判別した電圧値まで昇圧し、昇圧した電源電圧を上記駆動電圧として上記複数の発光素子に供給する
発光素子駆動装置。
【請求項１２】
電源電圧源として電池を有する携帯装置であって、
発光に必要な駆動電圧が異なる複数の発光素子と、
上記発光素子により照明される少なくとも一つの被照明部と、
上記複数の発光素子が並列に接続され、当該複数の発光素子のうちの一または複数の発光素子を駆動する発光素子駆動装置と、
を有し、
上記発光素子駆動装置は、
上記複数の発光素子の対応する発光素子に接続され、設定値に基づいた輝度をもって対応する発光素子を駆動する複数の駆動回路と、
上記複数の駆動回路の各駆動状態に基づいて、発光駆動されている一または複数の発光素子のうち最も高い発光に必要な駆動電圧値を判別し、電源電圧を上記少なくとも判別した値の駆動電圧として上記複数の発光素子に供給する電源回路と
を含む
携帯装置。
【請求項１３】
上記発光素子駆動装置は、上記複数の発光素子が接続可能な複数の端子を有し、上記複数の駆動回路は外部に配置される複数の発光素子と対応する上記端子を通して接続される
請求項１１記載の携帯装置。
【請求項１４】
上記電源回路は、所定の点滅動作指示命令を受けると、上記電源回路の出力駆動電圧を、発光素子の駆動状態にかかわらず、所定の設定電圧に固定する
請求項１２記載の携帯装置。
【請求項１５】
上記電源回路は、上記判別した電圧値より上記電源電圧の値が大きいときは、供給された電源電圧を上記駆動電圧として上記複数の発光素子に供給する
請求項１２記載の携帯装置。
【請求項１６】
上記電源回路は、上記判別した電圧値より上記電源電圧の値が大きいときは、供給された電源電圧を当該判別した電圧値までのいずれかの値に降圧し、降圧した電源電圧を上記駆動電圧として上記複数の発光素子に供給する
請求項１２記載の携帯装置。
【請求項１７】
上記電源回路は、上記判別した電圧値より上記電源電圧の値が小さいときは、供給された電源電圧を少なくとも当該判別した電圧値まで昇圧し、昇圧した電源電圧を上記駆動電圧として上記複数の発光素子に供給する
請求項１２記載の携帯装置。
【請求項１８】
上記電源回路は、上記判別した電圧値より上記電源電圧の値が大きいときは、供給された電源電圧を当該判別した電圧値までのいずれかの値に降圧し、降圧した電源電圧を上記駆動電圧として上記複数の発光素子に供給し、
上記判別した電圧値と上記電源電圧の値が略等しいときは、供給された電源電圧を上記駆動電圧として上記複数の発光素子に供給し、
上記判別した電圧値より当該電源電圧の値が小さいときは、供給された電源電圧を少なくとも当該判別した電圧値まで昇圧し、昇圧した電源電圧を上記駆動電圧として上記複数の発光素子に供給する
請求項１２記載の携帯装置。
【請求項１９】
上記電源回路は、発光に必要な駆動電圧の値が上記電源電圧の値より小さい発光素子に、供給された電源電圧を当該発光素子の発光に必要な駆動電圧値までのいずれかの値に降圧し、降圧した電源電圧を上記駆動電圧として対象の発光素子に供給する降圧電源を含む
請求項１２記載の携帯装置。
【請求項２０】
上記電源回路は、発光に必要な駆動電圧の値が上記電源電圧の値より大きい発光素子に、供給された電源電圧を少なくとも当該発光素子の発光に必要な駆動電圧値まで昇圧し、昇圧した電源電圧を上記駆動電圧として対象の発光素子に供給する昇圧電源を含む
請求項１２記載の携帯装置。
【請求項２１】
上記電源回路は、発光に必要な駆動電圧の値が上記電源電圧の値より小さい発光素子に、供給された電源電圧を当該発光素子の発光に必要な駆動電圧値までのいずれかの値に降圧し、降圧した電源電圧を上記駆動電圧として対象の発光素子に供給する降圧電源と、
発光に必要な駆動電圧の値が上記電源電圧の値より大きい発光素子に、供給された電源電圧を少なくとも当該発光素子の発光に必要な駆動電圧値まで昇圧し、昇圧した電源電圧を上記駆動電圧として対象の発光素子に供給する昇圧電源と、を含む
請求項１２記載の携帯装置。
【請求項２２】
電源電圧源として電池を有する携帯装置であって、
発光に必要な駆動電圧が異なる複数の発光素子と、
上記発光素子により照明される少なくとも一つの被照明部と、
上記複数の発光素子が並列に接続され、当該複数の発光素子のうちの一または複数の発光素子を駆動する発光素子駆動装置と、
を有し、
上記発光素子駆動装置は、
上記複数の発光素子の対応する発光素子に接続され、設定値に基づいた輝度をもって対応する発光素子を駆動する複数の駆動回路と、
上記複数の駆動回路の各駆動状態に基づいて、発光駆動されている一または複数の発光素子のうち最も高い発光に必要な駆動電圧値を判別し、電源電圧を上記少なくとも判別した値の駆動電圧として上記複数の発光素子に供給する電源回路と、を含み、
上記電源回路は、電源電圧が供給され、
上記判別した電圧値より上記電源電圧の値が大きいときは、供給された電源電圧を上記駆動電圧として上記複数の発光素子に供給し、
上記判別した電圧値より上記電源電圧の値が小さいときは、供給された電源電圧を少なくとも当該判別した電圧値まで昇圧し、昇圧した電源電圧を上記駆動電圧として上記複数の発光素子に供給する
携帯装置。
【手続補正２】
【補正対象書類名】明細書
【補正対象項目名】０００４
【補正方法】変更
【補正の内容】
【０００４】
このように順方向電圧の異なる各種ＬＥＤを搭載した携帯装置は、これらＬＥＤを駆動するためのＬＥＤ駆動装置を有する。
このＬＥＤ駆動装置における出力電圧は、異なる順方向電圧を持つ各種ＬＥＤに対応するために、最大値の順方向電圧を満足する値を選択して設定している。
たとえば、順方向電圧Ｖｆｒが２．０Ｖの赤色ＬＥＤと、順方向電圧Ｖｆｗが３．５Ｖの白色ＬＥＤを同じ電源で駆動する場合、定電流源に必要な電圧と白色ＬＥＤの順方向電圧Ｖｆｗのバラツキを考慮して、ＬＥＤ駆動装置の出力電圧を４．５Ｖ〜５．０Ｖの固定しているのが一般的である。
【手続補正３】
【補正対象書類名】明細書
【補正対象項目名】００２１
【補正方法】変更
【補正の内容】
【００２１】
【発明の実施の形態】
第１実施形態
図１は、本発明に係るＬＥＤ（発光素子）駆動装置の第１の実施形態の基本構成を示す図である。
【手続補正４】
【補正対象書類名】明細書
【補正対象項目名】００３５
【補正方法】変更
【補正の内容】
【００３５】
図２の電流駆動回路１３（−１〜−ｎ）は、ＮＭＯＳトランジスタ１３１のゲートを電流制御アンプ１３４の出力で駆動し、ＮＭＯＳトランジスタ１３１に流れる電流をセンス抵抗素子１３２で検知して、電流検出アンプ１３３で検出増幅する。
そして、ＮＭＯＳトランジスタ１３１に流れる電流が電流設定回路１２（−１〜−ｎ）による設定電流値となるように、電流制御アンプ１３４によりＮＭＯＳトランジスタ１３１のゲート電圧を制御する。
これにより、駆動対象のＬＥＤ２０（−１〜−ｎ）は、設定電流に応じた輝度をもって発光する。
【手続補正５】
【補正対象書類名】明細書
【補正対象項目名】００４９
【補正方法】変更
【補正の内容】
【００４９】
たとえば、上位装置から動作モードに応じて駆動すべきＬＥＤ２０−１〜２０−ｎに対する電流（輝度）値に関するデジタルシリアルデータが、端子ＴＤＩを介してシリアルパラレル変換回路１１に入力される。
シリアルパラレル変換回路１１では、供給されたＬＥＤ２０−１〜２０−ｎを駆動すべき電流（輝度）値に関するデジタルシリアルデータがパラレルデータに変換される。そして、変換後の電流（輝度）値に関するデジタルデータＩＤ１〜ＩＤｎが対応する電流設定回路１２−１〜１２−ｎに供給される。
なお、デジタルデータＩＤ１〜ＩＤｎには対応するＬＥＤを駆動しない情報も含まれる。
【手続補正６】
【補正対象書類名】明細書
【補正対象項目名】００５０
【補正方法】変更
【補正の内容】
【００５０】
電流設定回路１２−１〜１２−ｎでは、シリアルパラレル変換回路１１により供給された駆動電流（輝度）値に関するデジタルデータＩＤ１〜ＩＤｎがアナログ信号である電流設定信号ＩＡ１〜ＩＡｎに変換されて、対応する電流駆動回路１３−１〜１３−ｎに供給される。
【手続補正７】
【補正対象書類名】明細書
【補正対象項目名】００５５
【補正方法】変更
【補正の内容】
【００５５】
順方向電圧Ｖｆｗが３．５Ｖの白色ＬＥＤを点灯させるためには、駆動電圧ＶＤＲＶとして必要な電圧は４Ｖ（＝３．５Ｖ＋０．５Ｖ）である。
この場合の昇圧電源１５の動作は、電源電圧ＶCCが、４．０Ｖ＜ＶCC＜４．２Ｖの範囲にあるときは、「スルー」となる。
一方、電源電圧ＶCCが、３．２Ｖ＜ＶCC＜４．０Ｖの範囲にあるときは、たとえば４Ｖに「昇圧」する動作とする。
【手続補正８】
【補正対象書類名】明細書
【補正対象項目名】００６２
【補正方法】変更
【補正の内容】
【００６２】
第２実施形態
図４は、本発明に係るＬＥＤ（発光素子）駆動装置の第２の実施形態の要部構成を示す回路図である。
【手続補正９】
【補正対象書類名】明細書
【補正対象項目名】００７７
【補正方法】変更
【補正の内容】
【００７７】
第３実施形態
図５は、本発明に係るＬＥＤ（発光素子）駆動装置の第３の実施形態の基本構成を示す図である。
【手続補正１０】
【補正対象書類名】明細書
【補正対象項目名】００８９
【補正方法】変更
【補正の内容】
【００８９】
順方向電圧Ｖｆｗが３．５Ｖの白色ＬＥＤを点灯させるためには、駆動電圧ＶＤＲＶとして必要な電圧は４Ｖ（＝３．５Ｖ＋０．５Ｖ）である。
この場合の昇降圧電源１０１の動作は、電源電圧ＶCCが、４．０Ｖ＜ＶCC＜４．２Ｖの範囲にあるときは、「降圧」動作となる。具体的には、降圧電源駆動回路１０１１により降圧電源１０１４が駆動される。これにより、電源電圧ＶCCが４Ｖあるいは４Ｖまでのいずれかの値に降圧されて、駆動電圧ＶＤＲＶとして端子ＴＶＯから出力される。
電源電圧ＶCCが駆動に必要な電圧と等しいときは、「スルー」となる。具体的には、電源スルー回路駆動回路１０１２により、電源スルー回路１０１５が駆動される。これにより、４Ｖの電源電圧ＶCCがスルーされて、駆動電圧ＶＤＲＶとして端子ＴＶＯから出力される。
一方、電源電圧ＶCCが、３．２Ｖ＜ＶCC＜４．０Ｖの範囲にあるときは、４Ｖに上げる「昇圧」動作となる。具体的には、昇圧電源駆動回路１０１３により昇圧電源１０１６が駆動される。これにより、電源電圧ＶCCが４Ｖあるいはそれ以上の値まで昇圧されて、駆動電圧ＶＤＲＶとして端子ＴＶＯから出力される。
【手続補正１１】
【補正対象書類名】明細書
【補正対象項目名】００９０
【補正方法】変更
【補正の内容】
【００９０】
順方向電圧Ｖｆｇ，Ｖｆｂが３．１Ｖの緑色ＬＥＤ、青色ＬＥＤを点灯させるためには、駆動電圧ＶＤＲＶとして必要な電圧は３．６Ｖ（＝３．１Ｖ＋０．５Ｖ）である。
この場合の昇降圧電源１０１の動作は、電源電圧ＶCCが、３．６Ｖ＜ＶCC＜４．２Ｖの範囲にあるときは、「降圧」動作となる。具体的には、降圧電源駆動回路１０１１により降圧電源１０１４が駆動される。これにより、電源電圧ＶCCが３．６Ｖあるいは３．６Ｖまでのいずれかの値に降圧されて、駆動電圧ＶＤＲＶとして端子ＴＶＯから出力される。
電源電圧ＶCCが駆動に必要な電圧と等しいときは、「スルー」となる。具体的には、電源スルー回路駆動回路１０１２により、電源スルー回路１０１５が駆動される。これにより、３．６Ｖの電源電圧ＶCCがスルーされて、駆動電圧ＶＤＲＶとして端子ＴＶＯから出力される。
一方、電源電圧ＶCCが、３．２Ｖ＜ＶCC＜３．６Ｖの範囲にあるときは、３．６Ｖに上げる「昇圧」動作となる。具体的には、昇圧電源駆動回路１０１３により昇圧電源１０１６が駆動される。これにより、電源電圧ＶCCが３．６Ｖあるいはそれ以上の値まで昇圧されて、駆動電圧ＶＤＲＶとして端子ＴＶＯから出力される。
【手続補正１２】
【補正対象書類名】明細書
【補正対象項目名】００９５
【補正方法】変更
【補正の内容】
【００９５】
第４実施形態
図７は、本発明に係るＬＥＤ（発光素子）駆動装置の第４の実施形態の要部構成を示す回路図である。
【手続補正１３】
【補正対象書類名】明細書
【補正対象項目名】図面の簡単な説明
【補正方法】変更
【補正の内容】
【図面の簡単な説明】
【図１】
本発明に係るＬＥＤ（発光素子）駆動装置の第１の実施形態の基本構成を示す図である。
【図２】
本実施形態に係る電流駆動回路の構成例を示す回路図である。
【図３】
本実施形態に係る昇圧電源、エラーアンプ、電流駆動回路の検出電圧出力部、および電源電圧源の具体的な構成例を示す一部を省略した回路図である。
【図４】
本発明に係るＬＥＤ（発光素子）駆動装置の第２の実施形態の要部構成を示す回路図である。
【図５】
本発明に係るＬＥＤ（発光素子）駆動装置の第３の実施形態の基本構成を示す図である。
【図６】
第２の実施形態に係る昇降圧電源の構成および機能を説明するための図である。
【図７】
本発明に係るＬＥＤ（発光素子）駆動装置の第４の実施形態の要部構成を示す回路図である。
【図８】
本発明に係るＬＥＤ（発光素子）駆動装置を採用した携帯装置（端末）の構成例を示すブロック図である。
【符号の説明】
１０、１０Ａ〜１０Ｃ…ＬＥＤ（発光素子）駆動装置、１１…シリアルパラレル変換回路（Ｓ／Ｐ）、１２−１〜１２−ｎ…電流設定回路（ＣＳＣ）、１３−１〜１３−ｎ…電流駆動回路（ＣＤＲＶ）、１３１…ＮＭＯＳトランジスタ、１３２…センス抵抗素子、１３３…電流検出アンプ、１３４…電流制御アンプ、
１４…エラーアンプ（ＥＡＭＰ）、１５…昇圧電源（ＢＳＴ）、１５１…比較器、１５２…発振器、１５３…プリドライバ、１５４…ＰＭＯＳトランジスタ、１５５，１５６…ＮＭＯＳトランジスタ、１６…インバータ、１７…２入力アンドゲート、１８…第２のエラーアンプ、１９…スイッチ回路、１０１…昇降圧電源、１０２…エラーアンプ、１０３…降圧電源（ＤＰＳ）、１０１１…降圧電源駆動回路、１０１２…電源スルー回路駆動回路、１０１３…昇圧電源駆動回路、１０１４…降圧電源（ＤＰＳ）、１０１５…電源スルー回路（ＰＴＲ）、１０１６…昇圧電源（ＢＳＴ）、２０−１〜２０−ｎ…ＬＥＤ、３０…電源電圧源（ＰＳＶ）、４０…携帯装置、４１…ＣＰＵ、４２…第１画像表示装置、４３…第２画像表示装置、４４…入力装置、４５…着信表示部、４６…同期信号供給回路、４７…ＬＥＤ駆動装置。